(57)【要約】【課題】  リアルタイムに情報を配信できると共に不正アクセスを抑えることができるサーバ装置および情報配信方法を実現することを目的にする。【解決手段】  本発明は、クライアントプログラムが動作する端末からの要求によって、ネットワークを介して所望のイベントに関する情報を配信するサーバ装置に改良を加えたものである。本装置は、予め決められている窓口で、端末と第１のプロトコルにて第１のコネクションを確立し、端末のクライアントプログラム上で動作するプログラムと情報とを端末に配信する第１のコネクション手段と、第１のコネクションにて情報の配信が要求されると新たな窓口を作成し、この新たな窓口で端末と第２のプロトコルにて第２のコネクションを確立し、所望のイベントの発生を通知する第２のコネクション手段とを設け、第１のコネクション手段は、第２のコネクション手段によって新たに作成された窓口を第１のコネクションにて端末に通知することを特徴とするものである。【選択図】                    図１
2005322016.tif 000002
【特許請求の範囲】
【請求項１】
クライアントプログラムが動作する端末からの要求によって、ネットワークを介して所望のイベントに関する情報を配信するサーバ装置において、
予め決められている窓口で、前記端末と第１のプロトコルにて第１のコネクションを確立し、前記端末のクライアントプログラム上で動作するプログラムと前記情報とを前記端末に配信する第１のコネクション手段と、
前記第１のコネクションにて前記情報の配信が要求されると新たな窓口を作成し、この新たな窓口で前記端末と第２のプロトコルにて第２のコネクションを確立し、前記所望のイベントの発生を通知する第２のコネクション手段と
を設け、前記第１のコネクション手段は、前記第２のコネクション手段によって新たに作成された窓口を第１のコネクションにて前記端末に通知することを特徴とするサーバ装置。
【請求項２】
クライアントプログラムは、ブラウザであることを特徴とする請求項１記載のサーバ装置。
【請求項３】
第１のコネクションおよび第２のコネクションは、通信プロトコルのＴＣＰ／ＩＰで通信することを特徴とする請求項１記載のサーバ装置。
【請求項４】
第１のプロトコルは、ＨＴＴＰであり、
第２のプロトコルは、ＨＴＴＰと異なるプロトコルであることを特徴とする請求項３記載のサーバ装置。
【請求項５】
サーバ装置は、測定装置であることを特徴とする請求項１記載のサーバ装置。
【請求項６】
クライアントプログラムが動作する端末に、サーバ装置が所望のイベントに関する情報をネットワークを介して配信する情報配信方法において、
前記端末が、前記サーバ装置で予め決められている窓口に第１のプロトコルで接続し、前記クライアントプログラム上で動作するプログラムをダウンロードして第１のコネクションを確立し、前記所望のイベントの発生の通知を前記サーバ装置に要求するステップと、
前記サーバ装置が、前記所望のイベントが発生したことを通知するためのイベント配信窓口を作成するステップと、
前記サーバ装置が、前記作成したイベント配信窓口を第１のコネクションにて前記端末に通知するステップと、
前記端末が、前記サーバ装置から通知されたイベント配信窓口に第２のプロトコルで接続して第２のコネクションを確立するステップと、
前記サーバ装置が、前記端末から要求されたイベントが発生するとイベントの発生を第２のコネクションにて前記端末に通知するステップと、
前記端末が、前記サーバ装置からイベントの発生を通知されると前記イベントに関する情報の配信を第１のコネクションにて前記サーバに要求するステップと、
前記サーバ装置が、前記イベントに関する情報を第１のコネクションにて前記端末に配信するステップと
を設けたことを特徴とする情報配信方法。
【発明の詳細な説明】
【技術分野】
【０００１】
本発明は、クライアントプログラムが動作する端末に、ネットワークを介して所望のイベントに関する情報を配信するＰｕｓｈ型のサーバ装置および情報配信方法に関し、詳しくは、リアルタイムに情報を配信できると共に不正アクセスを抑えることができるサーバ装置および情報配信方法に関するものである。
【背景技術】
【０００２】
近年、測定装置（例えば、波形測定装置）は、ネットワークに接続されて外部装置（例えば、パーソナルコンピュータ（以下、パソコンと略す））と通信を行うことが多い。そして、波形測定装置が情報配信装置として、パソコンからの要求によって情報（測定データ、画像データ、アラーム信号等）を配信する（例えば、特許文献１参照）。つまり、波形測定装置側がＷｅｂサーバであり、パソコン側がＷｅｂクライアントとなる。図３は、従来の情報配信システムを示した図である。なお、測定装置が測定を行い、測定した結果をパソコンが収集するシステムは、測定システムとも呼ばれる。
【０００３】
図３において、ネットワーク１００は、イントラネット、インターネット等であり、例えば、イーサネット（登録商標）ケーブルが用いらる。波形測定装置１０は、サーバ装置であり、波形測定部１１、Ｗｅｂサーバ１２を有し、ネットワーク１００に接続される。波形測定部１１は、波形測定手段１１ａ、アクイジョンメモリ１１ｂ、表示手段１１ｃ、ストレージ手段１１ｄ、ＣＰＵ（Central Processing Unit）１１ｅを有し、入力信号である被測定信号の測定を行う。
【０００４】
波形測定手段１１ａは、図示しないＡＤ変換器によって、被測定信号をデジタル信号の測定データに変換してアクイジョンメモリ１１ｂに格納する。表示手段１１ｃは、アクイジョンメモリ１１ｂに格納された測定データを波形表示したり、測定データの解析結果等を表示する。
【０００５】
ストレージ手段１１ｄは、記憶部であり、例えば、装置本体に内蔵されるハードディスク、フロッピー（登録商標）ディスク、ＩＤＥ規格に準拠したインタフェースを持つフラッシュＡＴＡメモリカード等である。また、ストレージ手段１１ｄは、アクイジョンメモリ１１ｂが記憶する測定データ、表示手段１１ｃで表示される画像イメージ、Ｗｅｂクライアント上で動作するプログラム等を記憶する。ＣＰＵ１１ｅは、波形測定部１１全体を制御する。
【０００６】
Ｗｅｂサーバ１２は、波形測定部１１の測定データや画像イメージ等を適当な形式のファイル（テキストファイル、画像イメージファイル、音楽・音声ファイル等）に変換し、これらのファイルやストレージ手段１１ｄのプログラム等をネットワーク１００を介してパソコン２０に送信する。
【０００７】
パソコン２０は、Ｗｅｂブラウザ２１がインストールされ、Ｗｅｂブラウザ２１が動作している。また、パソコン２０は、ネットワーク１００に接続される。Ｗｅｂブラウザ２１は、クライアントプログラムであり、波形測定装置１０に所望のファイルを要求し、波形測定装置１０からのファイルを表示する。
【０００８】
このような装置の動作を説明する。
まず、波形測定部１１の動作を説明する。波形測定部１１の波形測定手段１１ａが、所望の形状の被測定信号が入力されるたびにトリガ信号を発生して被測定信号を測定し、測定した測定データをアクイジョンメモリ１１ｂに格納する。また、ＣＰＵ１１ｅによって、アクイジョンメモリ１１ｂの測定データや、表示手段１１ｃに表示される画像データがストレージ手段１１ｄに格納される。また、ＣＰＵ１１ｅによって測定データのデータ処理・解析（演算、メジャー、ＸＹ相関解析（Ｘ軸に指定したチャネルの入力信号の電圧軸をとり、Ｙ軸にその他のチャネルの入力信号の電圧軸をとって、２つの入力信号の相関の解析）等）が行われ、表示手段１１ｃに測定データの波形表示や解析結果の表示等が行われる。
【０００９】
続いて、波形測定装置１０とパソコン２０のファイルの送受信を説明する。
パソコン２０のＷｅｂブラウザ２１が、波形測定装置１０のＷｅｂサーバ１２に所望のファイル（例えば、画像イメージファイル）の送信を要求する。これにより、Ｗｅｂサーバ１２が、要求された画像イメージファイルに適切なヘッダを付加し、Ｗｅｂブラウザ２１に送信する。なお、ファイルは、ストレージ手段１１ｄに格納されている静的なものの他に、アクイジョンメモリ１１ｂからオンデマンドで動的に作成するもの等がある。そして、Ｗｅｂブラウザ２１が、受信したファイルを表示する。
【００１０】
【特許文献１】特開２００１−５６８９６号公報（段落番号０００２−０００７、第７図）
【特許文献２】特許第３１４２８２０号公報（段落番号０００２）
【発明の開示】
【発明が解決しようとする課題】
【００１１】
このようにＷｅｂサーバとなる波形測定装置１０が、Ｗｅｂクライアントとなるパソコン２０から要求があって初めて処理（例えば、ファイル作成やファイル送信）を開始する。なお、このように情報を受信したい側（パソコン２０）から通信を開始する形式をＰｕｌｌ型配信方式と呼ばれる（例えば、特許文献２参照）。
【００１２】
しかしながら、図３に示す装置ではパソコン２０が定期的に波形測定装置１０と通信しているので、波形測定装置１０で発生するイベント（例えば、トリガイベント）を観測したい場合に以下のような問題があった。
【００１３】
波形測定装置１０とパソコン２０とは定期的に通信するので、イベント発生の時間的精度が、通信周期より高くできずリアルタイム性に欠けるという問題があった。また、イベントが発生したときだけ、波形測定装置１０から通信を行う方式（いわゆるＰｕｓｈ型配信方式（例えば、特許文献２参照））に比べ、通信トラフィックが多いという問題があった。もちろん、時間的精度をよくするためには通信周期を上げることが考えられるが、通信トラフィックが著しく増加するという問題があった。
【００１４】
そこで本発明の目的は、リアルタイムに情報を配信できると共に不正アクセスを抑えることができるサーバ装置および情報配信システムを実現することにある。
【課題を解決するための手段】
【００１５】
請求項１記載の発明は、
クライアントプログラムが動作する端末からの要求によって、ネットワークを介して所望のイベントに関する情報を配信するサーバ装置において、
予め決められている窓口で、前記端末と第１のプロトコルにて第１のコネクションを確立し、前記端末のクライアントプログラム上で動作するプログラムと前記情報とを前記端末に配信する第１のコネクション手段と、
前記第１のコネクションにて前記情報の配信が要求されると新たな窓口を作成し、この新たな窓口で前記端末と第２のプロトコルにて第２のコネクションを確立し、前記所望のイベントの発生を通知する第２のコネクション手段と
を設け、前記第１のコネクション手段は、前記第２のコネクション手段によって新たに作成された窓口を第１のコネクションにて前記端末に通知するを設けたことを特徴とするものである。
【００１６】
請求項２記載の発明は、請求項１記載の発明において、
クライアントプログラムは、ブラウザであることを特徴とするものである。
請求項３記載の発明は、請求項１記載の発明において、
第１のコネクションおよび第２のコネクションは、通信プロトコルのＴＣＰ／ＩＰで通信することを特徴とするものである。
請求項４記載の発明は、請求項３記載の発明において、
第１のプロトコルは、ＨＴＴＰであり、
第２のプロトコルは、ＨＴＴＰと異なるプロトコルであることを特徴とするものである。
請求項５記載の発明は、請求項１記載の発明において、
サーバ装置は、測定装置であることを特徴とするものである。
【００１７】
請求項６記載の発明は、
クライアントプログラムが動作する端末に、サーバ装置が所望のイベントに関する情報をネットワークを介して配信する情報配信方法において、
前記端末が、前記サーバ装置で予め決められている窓口に第１のプロトコルで接続し、前記クライアントプログラム上で動作するプログラムをダウンロードして第１のコネクションを確立し、前記所望のイベントの発生の通知を前記サーバ装置に要求するステップと、
前記サーバ装置が、前記所望のイベントが発生したことを通知するためのイベント配信窓口を作成するステップと、
前記サーバ装置が、前記作成したイベント配信窓口を第１のコネクションにて前記端末に通知するステップと、
前記端末が、前記サーバ装置から通知されたイベント配信窓口に第２のプロトコルで接続して第２のコネクションを確立するステップと、
前記サーバ装置が、前記端末から要求されたイベントが発生するとイベントの発生を第２のコネクションにて前記端末に通知するステップと、
前記端末が、前記サーバ装置からイベントの発生を通知されると前記イベントに関する情報の配信を第１のコネクションにて前記サーバに要求するステップと、
前記サーバ装置が、前記イベントに関する情報を第１のコネクションにて前記端末に配信するステップと
を設けたことを特徴とするものである。
【発明の効果】
【００１８】
本発明によれば、以下のような効果がある。
請求項１〜５によれば、イベントに関する情報の配信を第１のコネクションにて端末から要求されると、第２のコネクション手段が、動的に新たな窓口を作成し、第２のコネクションを確立してイベントの発生を端末に通知する。これにより、端末が、イベントの発生と同期してリアルタイムに情報の配信を要求することができる。従って、端末側でイベントと同期してリアルタイムに情報が更新される。また、新たな窓口は、端末からイベントに関する情報配信の要求があって初めて開設する（つまり、常時開いていない）ので、第三者から不正にアクセスされにくい。従って、サーバ装置は、リアルタイムに情報を配信できると共に不正アクセスを抑えることができる。
【００１９】
請求項５によれば、サーバ装置が測定装置なので、例えば、波形測定において、トリガで測定データを取得するような場合であっても、トリガと同期して端末側の情報（例えば、画像イメージ）をリアルタイムに更新することができる。また、トリガのように不定期に発生するイベントだとしても、第２のコネクション手段がイベントの発生を通知するので、通信トラフィックを抑えることができる。
【００２０】
請求項６によれば、サーバ装置で予め決められている窓口に第１のプロトコルで端末が接続し、所望のイベントの発生の通知をサーバ装置に要求する。そして、サーバ装置が、所望のイベントが発生したことを通知するためのイベント配信窓口を作成する。さらに、端末が、イベント配信窓口に第２のプロトコルで接続して第２のコネクションを確立し、通信を行う。これにより、端末が、イベントの発生と同期してリアルタイムに情報の配信を要求することができる。従って、端末側でイベントと同期してリアルタイムに情報が更新される。また、イベント配信窓口は、端末からイベントに関する情報配信の要求があって初めて開設する（つまり、常時開いていない）ので、第三者から不正にアクセスされにくい。従って、リアルタイムに情報を配信できると共に不正アクセスを抑えることができる。
【発明を実施するための最良の形態】
【００２１】
以下図面を用いて本発明の実施の形態を説明する。
図１は、本発明の一実施例を示す構成図である。ここで、図３と同一のものには同一符号を付し説明を省略する。また、ＵＭＬ（Unified Modeling Language）の表記法で図示している。図１において、波形測定装置１０の代わりに波形測定装置３０が設けられる。波形測定装置３０は、サーバ装置であり、ネットワーク１００に接続され、波形測定部３１、Ｗｅｂサーバ３２を有する。波形測定部３１は、図３に示す波形測定部１１と同様のものなので説明を省略すると共に、波形測定手段、アクイジョンメモリ、表示手段、ストレージ手段、ＣＰＵの図示も省略する。
【００２２】
Ｗｅｂサーバ３２は、ＨＴＴＰ（HyperText Transfer Protocol）サーバ３２ａ、ＨＴＴＰインターフェース３２ｂ、イベント配信システム３２ｃ、イベント配信インターフェース３２ｄを有し、Ｗｅｂクライアントとなるパソコン２０にイベントの発生を通知したり、パソコン２０から要求された所望のイベントに関する情報をネットワーク１００を介して配信する。なお、パソコン２０は端末である。
【００２３】
ＨＴＴＰサーバ３２ａは、波形測定部３１、ＨＴＴＰインターフェース３２ｂと接続される。ＨＴＴＰインターフェース３２ｂは、通信プロトコルであるＨＴＴＰ（第１のプロトコル）で予め決められた窓口（例えば、ＴＣＰポートのポート番号”８０”）を常時開き、パソコン２０と通信を行う。なお、ＨＴＴＰサーバ３２ａとＨＴＴＰインターフェース３２ｂは、第１のコネクション手段である。
【００２４】
イベント配信システム３２ｃは、波形測定部３１でのイベント発生を監視する。また、イベント配信システム３２ｃは、ＨＴＴＰサーバ３２ａがパソコン２０からイベント配信サービスを要求されると、動的にイベント配信インターフェース３２ｄを生成する。イベント配信インターフェース３２ｄは、所望のイベントが発生したことを通知するためのイベント配信窓口を開き、ＨＴＴＰと異なる独自のプロトコル（第２のプロトコル）でパソコン２０と通信を行う。なお、イベント配信システム３２ｃとイベント配信インターフェース３２ｄは、第２のコネクション手段である。
【００２５】
また、通信プロトコルであるＨＴＴＰプロトコル、独自のプロトコルともアプリケーション層のプロトコルであり、その下のレイヤは、ＴＣＰ／ＩＰ（Transmission Control Protocol/Internet Protocol）の通信プロトコルで通信を行う。
【００２６】
このような装置の動作を図２を用いて説明する。図２は、図１に示す測定システムの動作を示したシーケンス図である。一例として波形測定装置３０の波形測定部３１でイベントとしてトリガ（測定を取り込むタイミング）が発生し、トリガ前後で取得した測定データを波形表示した画面イメージをパソコン２０のブラウザ２１上に表示する例をあげる。
【００２７】
まず、ユーザが、パソコン２０のブラウザ２１で波形測定装置３０のＵＲＬ（Uniform Resource Locator）アドレスを指定する。そして、ブラウザ２１からの要求によって、Ｗｅｂサーバ３２のＨＴＴＰサーバ３２ａが、波形測定部３１のストレージ手段に格納されているプログラム（例えば、マークアップ言語のＨＴＭＬ（HyperText Markup Language）、インタープリタ言語のＪａｖａ（登録商標）、スクリプト言語のＶＢＳｃｒｉｐｔやＪａｖａＳｃｒｉｐｔ、ＡｃｔｉｖｅＸ等）を読み出す。そして、ＨＴＴＰサーバ３２ａが読み出したプログラムをＨＴＴＰインターフェース３２ｂが、ネットワーク１００を介して、パソコン２０に送信する。
【００２８】
さらに、パソコン２０のブラウザ２１が、波形測定装置３０からのプログラムを図示しないメモリに格納する。そして、このプログラムをブラウザ２１上で動作させ画面を表示させる。例えば、ＧＵＩ（Graphical User Interface）にＨＴＭＬを用いて表示する。このようにして、第１のプロトコルであるＨＴＴＰにて、ＨＴＴＰインターフェース３２で予め決められている窓口に接続し、パソコン２０と波形測定装置３０とのＨＴＴＰコネクション（第１のコネクション）を確立する。
【００２９】
続いて、ブラウザ２１で表示される画面上で、例えば、”イベント配信”ボタンをユーザが押す。なお、イベントの種類は、トリガをイベントとするものの他に、指定回数アクイジョン終了、アラームの発生、測定波形に対してある条件下での適合／不適合(GoNogo)を検査して不適合の発生等がある。これらのイベントの中からユーザが予め設定しておけばよい。
【００３０】
そして、ボタンが押されることにより、ブラウザ２１が、波形測定装置３０に対して、イベント配信サービスの要求を開始する。まず、ブラウザ２１が、ＨＴＴＰコネクションにて所望のイベント（この場合、トリガイベント）の発生の通知を要求する（ＳＱ１）。
【００３１】
一方、波形測定装置３０のイベント配信システム３２ｃが、ＨＴＴＰサーバ３２ａにパソコン２０からイベント配信サービスが要求されると、トリガイベントが発生したことを専用に通知するイベント配信インターフェース３２ｄを作成する。例えば、ブラウザ２１がイベント配信インターフェース３２ｄに接続するためのイベント配信窓口は、ソケット（Socket）を用いて構築する。もちろん、ソケットはＴＣＰ／ＩＰのＡＰＩ（Application Program Interface）なので、ＩＰアドレス＋ＴＣＰポートになるが、ＴＣＰポートのポート番号はＨＴＴＰコネクションでのポート番号とは異なる（ＳＱ２）。
【００３２】
さらに、このイベント配信窓口を、ＨＴＴＰインターフェース３２ｂがＨＴＴＰコネクションにてブラウザ２１に通知する（ＳＱ３）。
【００３３】
そしてパソコン２０のブラウザ２１が、波形測定装置３０から通知されたイベント配信インターフェース３２ｄのイベント配信窓口に、独自のプロトコルで接続して第２のコネクションを確立する。なお、第２のコネクションをイベント配信コネクションと以下呼ぶ。また、イベント配信コネクションは、ＨＴＴＰコネクションを確立する際に波形測定装置３０からパソコン２０に送信されたプログラムで行う。具体的には、例えば、ＶＢＳｃｒｉｐｔによって、ＪａｖａもしくはＡｃｔｉｖｅＸのＳｏｃｋｅｔＡＰＩ、ＧＵＩとＪａｖａ、ＡｃｔｉｖｅＸのコンポーネントとの連携を行わせる（ＳＱ４）。
【００３４】
一方、イベント配信システム３２ｃが、波形測定部３１においてトリガが発生するのを待つ（ＳＱ５）。同様に、パソコン２０のブラウザ２１が、波形測定装置３０からのイベント発生の通知を待つ（ＳＱ６）。
【００３５】
そして、波形測定部３１で、トリガが発生（つまり、イベントが発生）すると、波形測定手段が測定データをアクイジョンメモリに格納し、ＣＰＵが画像イメージの作成、波形解析等を行う（ＳＱ７）。
【００３６】
さらに、イベント配信システム３２ｃが、イベント配信インターフェース３２ｄにイベント配信コネクションにてトリガイベントの発生をブラウザ２１へ通知させる（ＳＱ８）。
【００３７】
この通知をきっかけにブラウザ２１が、トリガイベントに関する情報として、例えば、画像イメージファイルの配信を、ＨＴＴＰコネクションにてＨＴＴＰサーバ３２ａに要求する（ＳＱ９）。
【００３８】
一方、ＨＴＴＰサーバ３２ａが、波形測定部３１から最新の画像イメージを取得し、ブラウザ２１で表示できる画像イメージファイルを作成する（ＳＱ１０）。そして、適切なヘッダを付けてＨＴＴＰインターフェース３２ｂに、画像イメージファイルデータをＨＴＴＰコネクションにてパソコン２０に転送させる（ＳＱ１１）。
【００３９】
そして、パソコン２０のブラウザ２１が、画像イメージファイルデータを受け取り、ブラウザ２１上に画像イメージを表示する（ＳＱ１２）。表示後は再度、トリガイベントが発生するまでイベントの発生を待ち（ＳＱ５、ＳＱ６）、イベント発生（ＳＱ７）後はステップＳＱ８〜ＳＱ１２を行う。
【００４０】
このように、イベント配信サービスをパソコン２０から要求されると、イベント配信システム３２ｃが、動的にイベント配信インターフェース３２ｄを作成し、ＨＴＴＰコネクションとは別のイベント配信コネクションにて、イベントの発生をパソコン２０に通知する。これにより、パソコン２０が、波形測定部３１のトリガと同期してリアルタイムに画像イメージファイルの要求をすることができる。従って、パソコン２０に表示される画像が、トリガと同期してリアルタイムに更新される。また、イベント配信窓口は、パソコン２０からイベント配信サービスの要求があって初めて開設する（つまり、常時開いていない）ので、第三者から不正にアクセスされにくい。従って、波形測定装置３０は、リアルタイムに情報を配信できると共に不正アクセスを抑えることができる。
【００４１】
また、Ｗｅｂサーバ３２が、波形測定部３１でトリガイベントが発生した時のみパソコン２０と通信するので、通信トラフィックを抑えることができる。
【００４２】
さらに、イベント配信システム３２ｃとパソコン２０とのイベント配信コネクションは、パソコン２０側から接続するので、波形測定装置３０が別のネットワークにある場合（つまり、ルータ越えで通信する場合）でも、イベント配信インターフェース３２ｄのイベント配信窓口を公開するだけのルータの簡単な設定のみを行えばよい。
【００４３】
なお、本発明はこれに限定されるものではなく、以下のようなものでもよい。
画像イメージファイルをパソコン２０に配信する構成を示したが、ファイルの種類は、画像イメージでなく測定データ、アラーム信号等何でもよい。
【００４４】
また、サーバ装置として波形測定装置３０を用いる構成を示したが、他の測定装置、例えば、電力測定装置、圧力測定装置、温度測定装置等でもよい。さらに、サーバ装置は、測定装置でなく、例えば、株価情報等の情報を配信する情報配信装置でもよい。この場合のイベントしては、株価の急変が挙げられる。このようにサーバ装置は、パソコン２０のユーザがリアルタイムな配信を要求する情報を配信する情報配信装置ならば何でもよい。
【００４５】
さらに、Ｗｅｂサーバ３２を波形測定部３１と同じ装置内に設ける構成を示したが、別々に設けてもよい。
【図面の簡単な説明】
【００４６】
【図１】本発明の一実施例を示した構成図である。
【図２】図１に示すシステムの動作を示したシーケンス図である。
【図３】従来の測定システムの構成を示した図である。
【符号の説明】
【００４７】
２０  パソコン（端末）
２１  ブラウザ
３０  波形測定装置（サーバ装置）
３２  Ｗｅｂサーバ
３２ａ  ＨＴＴＰサーバ
３２ｂ  ＨＴＴＰインターフェース
３２ｃ  イベント配信システム
３２ｄ  イベント配信インターフェース
１００  ネットワーク
【図１】
2005322016.tif 000003
【図２】
2005322016.tif 000004
【図３】
2005322016.tif 000005